(57)【要約】      （修正有）【課題】外装部品成形時に発生する位置ずれや、部品取り付け時の位置ずれなどの影響を簡単な操作だけで解消することが可能な表示制御装置を提供する。【解決手段】制御部は、調整モードにおいては、計器の形状を模した枠体をディスプレイに表示するとともに、入力部によって受け付けた入力操作に基づいて枠体を表示する表示位置又は／及び形状を変更し、決定された枠体の表示位置又は／及び形状を計器の表示位置又は／及び形状に関するパラメータとしてパラメータ記憶部ＤＢ３に記憶する。【選択図】図１
2015066984.tif 000002
【特許請求の範囲】
【請求項１】
計器を表示可能なディスプレイと、
前記ディスプレイに表示された前記計器を視認可能とするための開口部を有する、前記ディスプレイが取り付けられる外装部品と、
前記ディスプレイの表示を制御する制御部と、
前記計器に関するパラメータを保持可能なパラメータ記憶部と、
入力操作を受け付ける入力部と、
を備え、
前記制御部は、調整モードにおいては、前記計器の形状を模した枠体を前記ディスプレイに表示するとともに、前記入力部によって受け付けた入力操作に基づいて前記枠体を表示する表示位置又は／及び形状を変更し、決定された前記枠体の表示位置又は／及び形状を前記計器の表示位置又は／及び形状に関するパラメータとして前記パラメータ記憶部に記憶し、
前記制御部は、前記調整モード以外の通常表示モードにおいては、前記パラメータ記憶部に保持されている前記パラメータを、前記ディスプレイに表示する前記計器の表示位置又は／及び形状として反映する、
ことを特徴とする表示制御装置。
【請求項２】
前記制御部は、前記調整モードにおいては、複数の計器それぞれに対応する前記枠体を前記ディスプレイ上の互いに異なる位置に表示するとともに、それぞれ独立に前記枠体の表示位置又は／及び形状を変更し、決定された前記枠体の表示位置又は／及び形状を、該枠体に対応する前記計器の表示位置又は／及び形状に関する前記パラメータとして前記パラメータ記憶部に記憶し、
前記制御部は、前記通常表示モードにおいて、複数の計器を前記ディスプレイに表示する、
ことを特徴とする請求項１に記載の表示制御装置。
【請求項３】
前記枠体は、その形状が前記開口部の形状に相似するとともに該開口部よりも僅かに小さく、且つ、その内部に交差する２つの線分が描かれている、
ことを特徴とする請求項１または２に記載の表示制御装置。
【発明の詳細な説明】
【技術分野】
【０００１】
本発明は、車両のメータユニットなどの表示装置に利用可能な表示制御装置に関し、特に計器などの表示要素の配置状態を適切に制御するための技術に関する。
【背景技術】
【０００２】
一般に、自動車の運転席の前方には、表示装置として、例えば車速計やエンジン回転計などの様々な計器を搭載したメータユニットが配置されている。また、近年のメータユニットにおいては、グラフィック表示が可能な液晶ディスプレイなどの表示装置を利用している場合が多い。すなわち、ディスプレイの画面を構成する多数の表示画素の中で、特定の領域の画素群の組み合わせを計器の指針、目盛りなどの様々な表示パターンに対応付けて、計器をグラフィック表示している。
【０００３】
グラフィック表示を採用した車両用のメータユニットの従来技術が、例えば特許文献１に開示されている。特許文献１においては、メータユニット内の各計器の画像の表示サイズや表示位置などの表示形態を変更するに際して、変更前後における表示内容を容易に認識可能とする技術を提案している。
【先行技術文献】
【特許文献】
【０００４】
【特許文献１】特開２００７−１５３１１６号公報
【発明の概要】
【発明が解決しようとする課題】
【０００５】
ところで、車両用のメータユニットにおいては、例えば表示内容の視認性を向上させるために、太陽光等の外来光が表示画面に入射するのを効果的に抑制する必要がある。したがって、例えば遮光性の外装部品をメータユニットの表示画面の周囲を囲むように配置する場合がある。
【０００６】
また、特別な意匠のメータユニットを実現するために、例えば表示画面の全体を覆うような形状の外装部品を配置し、この外装部品に開口部を設けて、開口部からメータユニットの各計器だけが露出するように構成する場合もある。この場合は、運転者等のユーザは外装部品の開口部から各計器を視認することができる。また、各計器の周囲は外装部品で覆われた状態になる。
【０００７】
しかしながら、外装部品を成型する際に、開口部の位置が設計値からずれてしまう場合がある。また、メータユニットの本体や外装部品を車体に取り付ける際に、これらの間に相対的な位置ずれが生じる場合もある。このような位置ずれが生じると、外装部品の開口部に露出した位置に表示される各計器の位置が、設計した状態に対して左右方向あるいは上下方向に相対的にずれてしまう。その結果、計器表示位置の外装部品に対する偏りが生じ、装置全体の位置のバランスが不自然な状態で計器が表示されてしまう。あるいは、表示した計器の一部分が、外装部品の開口部の周辺部に隠れて視認できない状態になる可能性もある。
【０００８】
上記のような位置ずれが生じた場合には、従来は作業者が外装部品等の取り付け位置を微調整していた。しかし、位置ずれや歪みが比較的大きいような場合、または複数の計器のうち、一部分だけに位置ずれ、歪みが発生している場合は調整が不可能であり、計器表示の不具合を解消できない状況も生じていた。そのため、例えば外装部品を別の部品と交換せざるを得ない場合もある。また、位置ずれ、歪みは、外装部品ごとに異なった態様で発生する。したがって、外装部品の歩留まりが低下したり、余分な交換作業が必要になったり、物理的な調整作業が必要になり、製造コストの増大に繋がる。
【０００９】
本発明は、上述した事情に鑑みてなされたものであり、その目的は、外装部品成形時に発生する位置ずれや、部品取り付け時の位置ずれなどの影響を簡単な操作だけで解消することが可能な表示制御装置を提供することにある。
【課題を解決するための手段】
【００１０】
前述した目的を達成するために、本発明に係る表示制御装置は、下記（１）〜（３）を特徴としている。
（１）  計器を表示可能なディスプレイと、
前記ディスプレイに表示された前記計器を視認可能とするための開口部を有する、前記ディスプレイが取り付けられる外装部品と、
前記ディスプレイの表示を制御する制御部と、
前記計器に関するパラメータを保持可能なパラメータ記憶部と、
入力操作を受け付ける入力部と、
を備え、
前記制御部は、調整モードにおいては、前記計器の形状を模した枠体を前記ディスプレイに表示するとともに、前記入力部によって受け付けた入力操作に基づいて前記枠体を表示する表示位置又は／及び形状を変更し、決定された前記枠体の表示位置又は／及び形状を前記計器の表示位置又は／及び形状に関するパラメータとして前記パラメータ記憶部に記憶し、
前記制御部は、前記調整モード以外の通常表示モードにおいては、前記パラメータ記憶部に保持されている前記パラメータを、前記ディスプレイに表示する前記計器の表示位置又は／及び形状として反映する、
こと。
（２）  上記（１）の構成の表示制御装置であって、
前記制御部は、前記調整モードにおいては、複数の計器それぞれに対応する前記枠体を前記ディスプレイ上の互いに異なる位置に表示するとともに、それぞれ独立に前記枠体の表示位置又は／及び形状を変更し、決定された前記枠体の表示位置又は／及び形状を、該枠体に対応する前記計器の表示位置又は／及び形状に関する前記パラメータとして前記パラメータ記憶部に記憶し、
前記制御部は、前記通常表示モードにおいて、複数の計器を前記ディスプレイに表示する、
こと。
（３）  上記（１）または（２）の構成の表示制御装置であって、
前記枠体は、その形状が前記開口部の形状に相似するとともに該開口部よりも僅かに小さく、且つ、その内部に交差する２つの線分が描かれている、
こと。
【００１１】
上記（１）の構成の表示制御装置によれば、外装部品の開口部が設計値に対して位置ずれしている場合や、取り付け時にディスプレイと開口部との間に位置ずれが生じたような場合であっても、計器の通常時の表示位置が開口部の中央部に位置決めされるように位置を簡単に修正することができる。すなわち、調整モードを利用することにより、調整者は、ディスプレイの表示を視認しながら枠体の表示位置と外装部品の開口部との位置が一致するように操作することができる。この操作の結果として、表示位置の変更量を含む値が位置パラメータとしてパラメータ記憶部に記憶される。そして、通常表示モードでは、パラメータがディスプレイに表示する計器の表示位置に反映されるので、表示位置を実際の開口部の位置に合わせることができる。
また、上記（１）の構成の表示制御装置によれば、位置ずれの他に、開口部の形状に歪みが生じているような場合であっても、計器の表示形状が実際の開口部の形状と一致するように調整することができる。したがって、外装部品の歩留まりをより効果的に改善でき、余分な交換作業も削減できるため製造コストの低減が可能になる。
上記（２）の構成の表示制御装置によれば、複数の計器を複数の独立した開口部のそれぞれの位置に表示するような意匠を外装部品に採用した場合であっても、複数の計器それぞれについて、個別に位置を調整することができる。したがって、様々な意匠の採用が可能になり、しかも外装部品の歩留まり低下を防止できる。
上記（３）の構成の表示制御装置によれば、調整者は、２つの線分が交差する点を目印にして、開口部に収まるように枠体を移動することにより、容易に開口部に対する枠体の位置を調整することができる。
【発明の効果】
【００１２】
本発明の表示制御装置によれば、外装部品成形時に発生する位置ずれや、部品取り付け時の位置ずれなどの影響を簡単な操作だけで解消することが可能になる。すなわち、前記調整モードを利用することにより、調整者は、前記ディスプレイの表示を視認しながら前記枠体の表示位置と前記外装部品の開口部との位置が一致するように操作することができ、この操作の結果として、表示位置の変更量がパラメータとして前記パラメータ記憶部に記憶される。そして、通常表示モードでは、前記パラメータが前記ディスプレイに表示する前記計器の表示位置に反映されるので、表示位置を実際の開口部の位置に合わせることができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、実施形態の表示制御装置における主要な制御の内容を示すフローチャートである。
【図２】図２は、表示制御装置を搭載したメータユニットの外観の具体例を示す正面図である。
【図３】図３は、外装部品を装着した状態のメータユニットの外観を示す正面図である。
【図４】図４は、メータユニットの電気回路の構成例を示すブロック図である。
【図５】図５は、メータユニットの調整モードにおける画面表示例を示す正面図である。
【発明を実施するための形態】
【００１５】
本発明の表示制御装置に関する具体的な実施の形態について、各図を参照しながら以下に説明する。
【００１６】
＜装置の概要の説明＞
本実施形態では、本発明の表示制御装置を車両用のメータユニット１００に適用する場合を想定して説明する。メータユニット１００は、車両の運転に必要な情報を表示する計器を搭載した装置であり、表示内容を運転者が容易に視認できるように、運転席前方のインストルメントパネル上に設置される。
【００１７】
＜メータユニット１００の表示画面１０１の外観＞
メータユニット１００の表示画面１０１を正面から見た状態の具体例を図２に示す。表示画面１０１は、後述する液晶表示器１２１の表示部であり、矩形形状の平面上に様々な可視情報を表示することができる。
【００１８】
図２に示した表示画面１０１においては、中央部に円形形状の速度計表示部１０２が配置されている。また、速度計表示部１０２の左側方にはブースト計表示部１０３が配置され、速度計表示部１０２の右側方には燃料計表示部１０４が配置されている。また、速度計表示部１０２の円形の領域内に、距離計表示部１０５が配置されている。
【００１９】
速度計表示部１０２には、図２に示すように、指針、目盛り、数字などの可視パターン情報で構成される速度計を表示することができる。また、指針先端の表示位置が目盛りに沿って移動するように表示内容を更新することにより、指針が所望の速度値を指示するように制御することができる。
【００２０】
同様に、ブースト計表示部１０３についてはブースト計の機能を有する計器を表示することができ、燃料計表示部１０４については燃料計の機能を有する計器を表示することができる。また、距離計表示部１０５には、積算走行距離計（オドメータ）およびトリップメータの数値を表示することができる。
【００２１】
＜外装部品を装着した状態の外観＞
外装部品２００を装着した状態のメータユニット１００の表示画面１０１の外観を図３に示す。
【００２２】
実際にメータユニット１００を車両に搭載する際には、表示画面１０１への外来光の入射を抑制したり、表示のコントラストを改善したり、装飾性を高めるために例えばメータユニット１００の全体を覆うような形状の外装部品２００が装着される。この外装部品２００は、通常は樹脂などの遮光性の材料で構成され、表示画面１０１を覆うように配置される。
【００２３】
但し、表示画面１０１上の速度計表示部１０２、ブースト計表示部１０３、燃料計表示部１０４等の各領域については、運転者から視認できるようにする必要があるので、外装部品２００には表示画面１０１の表面と重なる箇所に、複数の開口部２００ａ、２００ｂ、及び２００ｃが形成されている。
【００２４】
つまり、運転者は図３に示すような外観のメータユニット１００を視ることになり、開口部２００ａに露出している速度計表示部１０２と、開口部２００ｂに露出しているブースト計表示部１０３と、開口部２００ｃに露出している燃料計表示部１０４とをそれぞれ視認することができる。
【００２５】
外装部品２００に形成される各開口部２００ａ、２００ｂ、及び２００ｃについては、それぞれ、速度計表示部１０２、ブースト計表示部１０３、及び燃料計表示部１０４の各領域の形状、表示位置及び大きさと一致するように設計される。
【００２６】
しかし、外装部品２００を製造する際に、各開口部２００ａ、２００ｂ、及び２００ｃの位置が設計値からずれてしまったり、開口部２００ａ、２００ｂ、及び２００ｃ等の箇所に歪みが生じて開口形状が設計値からずれてしまう場合もある。また、外装部品２００自体に位置ずれや歪みが存在しない場合であっても、作業者がメータユニット１００と外装部品２００とを組み付ける際に、あるいはこれらを車両に取り付ける際に、両者の間に相対的な位置ずれが発生する可能性もある。
【００２７】
例えば、図３に示すような状態において、ブースト計表示部１０３の領域と開口部２００ｂとの間に相対的な位置ずれが発生すると、開口部２００ｂの周辺部によってブースト計表示部１０３の一部分が覆われてその箇所が運転者から視認できない状態になる。あるいは、ブースト計表示部１０３の周囲に隙間が生じたり、見栄えの悪い状態になる。他の開口部２００ａ、２００ｃについても同様である。
【００２８】
本実施形態のメータユニット１００は、上記のような開口部２００ａ、２００ｂ、及び２００ｃと、表示画面１０１に表示される速度計表示部１０２、ブースト計表示部１０３、及び燃料計表示部１０４との間の位置ずれや、歪み等の影響を簡単な調整操作だけで排除できるように、後述するような特別な機能を搭載している。
【００２９】
＜電気回路の構成例＞
メータユニット１００の電気回路の構成例を図４に示す。図４に示すように、このメータユニット１００は、マイクロコンピュータ（ＣＰＵ）１１１、ＣＰＵ電源１１２、Ｉ／Ｏ部１１３、Ｉ／Ｏ部１１４、一時記憶用メモリ１１５、不揮発性メモリ（ＥＥＰＲＯＭ）１１６、グラフィックコントローラ１１８、ＬＣＤ電源１１９、液晶表示器（ＴＦＴ−ＬＣＤ）１２１、Ｘドライバ１２２、Ｙドライバ１２３、及び操作部１３０を備えている。
【００３０】
マイクロコンピュータ１１１は、予め用意されている制御用のプログラムを実行することにより、メータユニット１００に必要とされる各種の機能を実現するための処理を行う。具体的には、通常モードでは、車速、ブースト値、燃料残量、走行距離などを含む最新の車両データをＩ／Ｏ部１１４を介して収集したり必要な計算を実行し、表示すべきデータを生成する。そして、得られた情報を液晶表示器１２１の表示画面（１０１）上の各表示部の表示内容に反映する。また、特別に用意した調整モードにおいては、操作部１３０からの入力操作を受け付けて、速度計表示部１０２、ブースト計表示部１０３、燃料計表示部１０４等の表示形態に関するパラメータの調整を行うことができる。詳細な制御の内容については後で説明する。
【００３１】
ＣＰＵ電源１１２は、車両側の電源回路から供給される直流電力（＋Ｂ）を入力し、マイクロコンピュータ１１１等の回路が動作するために必要な安定した直流電圧（Ｖｃｃ）を生成する。また、ＣＰＵ電源１１２はリセット信号を生成してマイクロコンピュータ１１１に供給したり、マイクロコンピュータ１１１から出力されるスリープ制御信号に従って電圧の制御を行うことができる。
【００３２】
Ｉ／Ｏ部１１３は、車両側から出力されるイグニッション信号（ＩＧＮ＋）を、マイクロコンピュータ１１１が入力可能な電圧に変換するための信号処理を行う。
【００３３】
Ｉ／Ｏ部１１４は、マイクロコンピュータ１１１を車両上の通信ネットワーク（ＣＡＮ：Controller Area Network）と接続するために必要な信号処理を行う。マイクロコンピュータ１１１はＣＡＮ規格に対応した通信機能を内蔵している。従って、マイクロコンピュータ１１１は、Ｉ／Ｏ部１１４および車両上の通信ネットワークを経由して、車両上の各種電子制御装置（ＥＣＵ：図示せず）との間で通信を行うことができる。この通信により、例えば車速、エンジン回転速度などの車両データを取得することができる。
【００３４】
本実施形態では、前記調整モードを実行する際に、操作部１３０をＩ／Ｏ部１１４に接続することができる。図示しないが、操作部１３０は複数のボタンを備えている。調整者は、操作部１３０の各ボタンを操作することにより、マイクロコンピュータ１１１に対してパラメータ調整のための指示を与えることができる。
【００３５】
一時記憶用メモリ１１５は、データの読み出し及び書き込みが自在のメモリ（ＲＡＭ）により構成されている。マイクロコンピュータ１１１は、様々なデータを一時的に一時記憶用メモリ１１５に格納したり、一時記憶用メモリ１１５からデータを読み出したりすることができる。
【００３６】
不揮発性メモリ１１６は、ＥＥＰＲＯＭにより構成されており、メータユニット１００が使用する様々な固定データを保持するために利用される。具体的には、マイクロコンピュータ１１１が実行するプログラムや、各種定数などの固定データが予め不揮発性メモリ１１６に書き込んである。また、更新可能な様々なパラメータのデータを格納するための領域も、不揮発性メモリ１１６に設けてある。具体的には、図１に示す形状記憶部ＤＢ１、計器情報記憶部ＤＢ２、及びパラメータ記憶部ＤＢ３の各領域が不揮発性メモリ１１６に設けてある。
【００３７】
形状記憶部ＤＢ１は、図５に示す枠体パターン１１、１２、及び１３の各々の基本形状データを保持する領域であり、開口部２００ａ、２００ｂ、２００ｃの設計値と適合するように事前に決定された基本形状データを保持している。
【００３８】
計器情報記憶部ＤＢ２は、速度計表示部１０２、ブースト計表示部１０３、燃料計表示部１０４、及び距離計表示部１０５に表示する各計器のそれぞれについて、指針パターン、目盛りパターン、文字パターン、レイアウトに関する情報などを保持している。
【００３９】
パラメータ記憶部ＤＢ３は、速度計表示部１０２、ブースト計表示部１０３、及び燃料計表示部１０４のそれぞれについて、表示基準座標（Ｘ／Ｙ）の補正値、Ｘ軸方向サイズ補正値、Ｙ軸方向サイズ補正値などのパラメータを保持することができる。これらのパラメータは、前記調整モードで更新することができる。
【００４０】
図４に示した液晶表示器１２１は、横（Ｘ）方向および縦（Ｙ）方向に並んだ多数の画素で構成される二次元配列の表示画面１０１を有している。外部からの制御により、多数の画素のそれぞれは、個別に濃度（または明るさ）や表示色を切り替えることができる。
【００４１】
グラフィックコントローラ１１８は、液晶表示器１２１の表示画面１０１に表示する内容を制御する。表示画面１０１における１フレームの全ての画素の内容と対応するデータを保持するフレームメモリ１１８ａがグラフィックコントローラ１１８に内蔵されている。グラフィックコントローラ１１８は、マイクロコンピュータ１１１から出力される命令に従って、表示すべきデータをフレームメモリ１１８ａ上に描画する。そして、グラフィックコントローラ１１８は、内部で生成した垂直同期信号および水平同期信号のタイミングに同期して、フレームメモリ１１８ａ上の各データに対応する信号（ＲＧＢ画像データ）を、液晶表示器１２１に出力する。
【００４２】
グラフィックコントローラ１１８は、Ｘドライバ１２２を介して液晶表示器１２１と接続されている。Ｘドライバ１２２は、グラフィックコントローラ１１８から出力される水平同期信号のタイミングに同期して、液晶表示器１２１の画素群における水平方向の走査位置を決定する。
【００４３】
また、液晶表示器１２１の画素群におけるＹ方向の各行を順番に選択（Ｙ方向走査）するためにＹドライバ１２３が接続されている。Ｙドライバ１２３は、グラフィックコントローラ１１８から出力される垂直同期信号のタイミングに同期して、Ｙ方向の各行を順番に選択する。
【００４４】
ＬＣＤ電源１１９は、車両側の電源回路から供給される直流電力（＋Ｂ）を入力し、液晶表示器１２１や、図示しないバックライトが動作するために必要な安定した電圧を生成する。
【００４５】
＜装置の動作の説明＞
＜動作の概要＞
実施形態の表示制御装置における主要な制御の内容を図１に示す。すなわち、図４に示したマイクロコンピュータ１１１が図１に示した制御を実行することにより、メータユニット１００が所定の動作を行う。
【００４６】
図１に示すように、マイクロコンピュータ１１１は「調整モード」の制御、及び「通常モード」の制御を実行することができる。「通常モード」においては、図２に示すように表示画面１０１上の速度計表示部１０２、ブースト計表示部１０３、燃料計表示部１０４、及び距離計表示部１０５にそれぞれ所定の計器が表示される。そして、図３に示すように、外装部品２００の各開口部２００ａ、２００ｂ、及び２００ｃの領域で運転者等のユーザは各計器の表示を実際に視認することができる。
【００４７】
また、「調整モード」においては、図５に示すような可視情報がメータユニット１００の表示画面１０１上に表示される。図５に示す表示画面１０１においては、この画面上に３つの枠体パターン１１、１２、及び１３が表示されている。３つの枠体パターン１１、１２、及び１３は、初期状態において、設計値上のそれぞれ速度計表示部１０２の領域、ブースト計表示部１０３の領域、及び燃料計表示部１０４の領域と同じ位置に表示される。
【００４８】
枠体パターン１１は、速度計表示部１０２の外形の輪郭形状、及び開口部２００ａの開口形状と近似した円形形状の枠状のパターンであり、大きさも速度計表示部１０２の外形及び開口部２００ａと同等である。枠体パターン１２は、ブースト計表示部１０３の外形の輪郭形状、及び開口部２００ｂの開口形状と近似した形状の枠状のパターンであり、大きさもブースト計表示部１０３の外形及び開口部２００ｂと同等である。枠体パターン１３は、燃料計表示部１０４の外形の輪郭形状、及び開口部２００ｃの開口形状と近似した形状の枠状のパターンであり、大きさも燃料計表示部１０４の外形及び開口部２００ｃと同等である。これらの枠体パターン１１、１２、１３は、その形状が対応する開口部２００ａ、２００ｂ、２００ｃの形状に相似するとともに該開口部２００ａ、２００ｂ、２００ｃよりも僅かに小さい。また、これらの枠体パターン１１、１２、１３は、その内部に交差する２つの線分が描かれている。
【００４９】
また、「調整モード」においても、図３の場合と同様に、表示画面１０１の表面を外装部品２００が覆う状態になる。したがって、実際に調整者が視認する表示画面１０１については、図３の場合と同様に、枠体パターン１１が開口部２００ａとほぼ一致する位置に表示され、枠体パターン１２が開口部２００ｂとほぼ一致する位置に表示され、枠体パターン１３が開口部２００ｃとほぼ一致する位置に表示される。
【００５０】
したがって、「調整モード」において、図５に示すような表示画面１０１を外装部品が覆った状態で視認する調整者は、枠体パターン１１と開口部２００ａとの間の相対的な位置ずれや開口部２００ａの形状の歪みを容易に視認することができる。同様に、枠体パターン１２と開口部２００ｂとの間の位置ずれや開口部２００ｂの形状の歪みを視認することもでき、枠体パターン１３と開口部２００ｃとの間の位置ずれや開口部２００ｃの形状の歪みを視認することもできる。
【００５１】
「調整モード」において、図５に示すような表示画面１０１を外装部品で覆った状態で表示している状態で、マイクロコンピュータ１１１は調整者等のユーザからの入力操作を受け付けることができる。つまり、調整者が操作部１３０を操作すると、枠体パターン１１、１２、及び１３の表示位置を個別にＸ軸に沿った左右方向や、Ｙ軸方向に沿った上下方向に移動することができる。更に、枠体パターン１１、１２、及び１３の形状を、左右方向（表示画面１０１の幅方向）の表示サイズや上下方向（表示画面１０１の高さ方向）の表示サイズも調整することができる。この操作により、枠体パターン１１と開口部２００ａとが一致するように調整することができる。同様に、枠体パターン１２と開口部２００ｂとが一致するように調整することができ、枠体パターン１３と開口部２００ｃとが一致するように調整することもできる。
【００５２】
「調整モード」における調整の内容については、変更量がパラメータとしてパラメータ記憶部ＤＢ３に保存される。そして、「通常モード」で図３に示すような表示画面１０１を表示する際に、パラメータ記憶部ＤＢ３に記憶されたパラメータが表示形態に反映される。具体的には、速度計表示部１０２と開口部２００ａとの間の位置ずれが修正され、更に開口部２００ａの歪みが目立たなくなるように速度計表示部１０２の表示パターンの形状が修正される。同様に、ブースト計表示部１０３と開口部２００ｂとの間の位置ずれや開口部２００ｂの歪みの影響も修正され、燃料計表示部１０４と開口部２００ｃとの間の位置ずれや開口部２００ｃの歪みの影響も修正される。
【００５３】
＜具体的な動作の説明＞
図１に示した動作について以下に説明する。
なお、図１中の「調整モード」の動作については、例えば初期状態でメータユニット１００の電源を最初に投入した際に実行することができる。また、操作部１３０をＩ／Ｏ部１１４に接続した時や、操作部１３０からマイクロコンピュータ１１１に対して所定の命令を与えた時に実行することもできる。また、「通常モード」については、「調整モード」以外の時に実行される。
【００５４】
＜「調整モード」の動作＞
「調整モード」の動作を開始すると、マイクロコンピュータ１１１は最初にステップＳ１１で初期化を実行する。すなわち、表示画面１０１の全ての表示を消去する。また、各種パラメータを必要に応じて初期化する。
【００５５】
ステップＳ１２では、マイクロコンピュータ１１１は、形状記憶部ＤＢ１に保持されている枠体パターン１１、１２、及び１３のパターンデータを取得し、これらのパターンデータに基づいて表示画面１０１上に枠体パターン１１、１２、及び１３を表示する。
【００５６】
枠体パターン１１を表示する位置は、パラメータ記憶部ＤＢ３上のパラメータによる補正を行わない初期状態においては、速度計表示部１０２と開口部２００ａとの間に位置ずれが存在しない場合を想定した設計上の基準位置に基づき、速度計表示部１０２及び開口部２００ａと一致する位置に定める。また、枠体パターン１１の左右方向及び上下方向の表示サイズについても、開口部２００ａの形状に歪みがない場合を想定した設計上の開口部２００ａの形状及び大きさと一致するように定める。つまり、事前に決定した定数に基づいて、枠体パターン１１の最初の表示位置、表示サイズ、及びパターン形状を決定する。但し、パラメータ記憶部ＤＢ３上に既に位置補正用のパラメータが登録されている場合には、そのパラメータに従って、枠体パターン１１の表示位置を基準位置からずれた位置に移動する。また、パラメータ記憶部ＤＢ３上に既に左右方向又は上下方向の表示サイズ補正用のパラメータが登録されている場合には、そのパラメータに従って、表示する枠体パターン１１の左右方向又は上下方向の表示サイズを変更する。
【００５７】
同様に、枠体パターン１２の表示位置については、初期状態では、ブースト計表示部１０３と開口部２００ｂとの間に位置ずれが存在しない場合を想定した設計上の基準位置に基づき、ブースト計表示部１０３及び開口部２００ｂと一致する位置に定める。また、枠体パターン１２の左右方向及び上下方向の表示サイズについては、開口部２００ｂの形状に歪みがない場合を想定した設計上の開口部２００ｂの形状及び大きさと一致するように定める。
【００５８】
枠体パターン１３の表示位置については、初期状態では、燃料計表示部１０４と開口部２００ｃとの間に位置ずれが存在しない場合を想定した設計上の基準位置に基づき、燃料計表示部１０４及び開口部２００ｃと一致する位置に定める。また、枠体パターン１３の左右方向及び上下方向の表示サイズについては、開口部２００ｃの形状に歪みがない場合を想定した設計上の開口部２００ｃの形状及び大きさと一致するように定める。
【００５９】
ステップＳ１２の実行により、図５に示すように表示画面１０１上に枠体パターン１１、１２、及び１３が表示され、外装部品２００の各開口部２００ａ、２００ｂ、２００ｃの箇所に枠体パターン１１、１２、及び１３が現れている状態で、マイクロコンピュータ１１１は調整者による入力操作を受け付け可能な状態になる。
【００６０】
すなわち、マイクロコンピュータ１１１は、次のステップＳ１３で、Ｉ／Ｏ部１１４に接続された操作部１３０からの入力操作を受け付ける。調整者は、操作部１３０上の図示しない各ボタンを操作することにより、以下に示すような指示をマイクロコンピュータ１１１に与えることができる。
【００６１】
（１）枠体パターン１１、１２、及び１３のいずれか１つを調整対象として選択する。
（２）選択した枠体パターンの表示位置を画面上の左右方向及び上下方向に移動する。
（３）選択した枠体パターンの左右方向の表示サイズを増減する。
（４）選択した枠体パターンの上下方向の表示サイズを増減する。
（５）調整モードの実行を終了する。
【００６２】
ステップＳ１４では、マイクロコンピュータ１１１は、Ｓ１３で受け付けた操作部１３０からの入力操作に従って、選択中の枠体パターンに対応付けられたパラメータを調整する。調整可能なパラメータとしては、基準位置座標の調整値（Ｐ１１）、左右方向の表示サイズ調整値（Ｐ１２）、及び上下方向の表示サイズ調整値（Ｐ１３）がある。
【００６３】
ステップＳ１５では、マイクロコンピュータ１１１は、Ｓ１４で計器毎にそれぞれ独立して調整した調整後の各パラメータの値を、各枠体パターン１１〜１３の画面表示に反映する。例えば枠体パターン１１の表示を更新する際には、枠体パターン１１に対応付けた各パラメータＰ１１、Ｐ１２、Ｐ１３に基づき、パラメータＰ１１に従って枠体パターン１１の表示位置を移動し、パラメータＰ１２に従って枠体パターン１１の左右方向の表示サイズを変更し、パラメータＰ１３に従って枠体パターン１１の上下方向の表示サイズを変更する。
【００６４】
操作部１３０から調整モードの終了が指示されるまでＳ１３〜Ｓ１６の処理が繰り返される。この繰り返しの間に、調整者は、表示画面１０１に表示された各枠体パターン１１、１２、及び１３が、それぞれ開口部２００ａ、２００ｂ、及び２００ｃの位置及び形状と一致するように簡単な操作で調整することができる。
【００６５】
操作部１３０から調整モードの終了が指示されると、Ｓ１６からＳ１７に進む。そして、マイクロコンピュータ１１１は調整後の各パラメータをパラメータ記憶部ＤＢ３に保存する。また、マイクロコンピュータ１１１は表示画面１０１の表示を消去する。
【００６６】
＜「通常モード」の動作＞
例えばメータユニット１００の電源がオンになると、マイクロコンピュータ１１１は「通常モード」の動作を開始し、最初にステップＳ２１で初期化を実行する。すなわち、表示画面１０１の全ての表示を消去する。また、各種パラメータを必要に応じて初期化する。
【００６７】
ステップＳ２２では、マイクロコンピュータ１１１は、速度計表示部１０２、ブースト計表示部１０３、及び燃料計表示部１０４に表示する各計器に対応付けられたパラメータの情報（計器毎のＰ１１、Ｐ１２、Ｐ１３）を、パラメータ記憶部ＤＢ３から取得する。
【００６８】
ステップＳ２３では、マイクロコンピュータ１１１は、計器情報記憶部ＤＢ２に保持されている指針パターン、目盛りパターン、文字パターン、レイアウトに関する情報などを用いて、各計器を表示画面１０１上に描画する。また、Ｓ２２で取得したパラメータの情報を各計器の表示内容に反映する。
【００６９】
例えば、速度計表示部１０２の領域に速度計のパターンを描画する場合の実際の表示位置については、設計上の速度計の基準位置に対して、基準位置座標の調整値（Ｐ１１）分だけずれた位置に変更する。また、速度計のパターンを描画する場合の実際の表示形状及び表示サイズについては、設計上の表示形状及び表示サイズに対して、左右方向の表示サイズ調整値（Ｐ１２）、及び上下方向の表示サイズ調整値（Ｐ１３）分だけ変更する。
【００７０】
ステップＳ２４では、マイクロコンピュータ１１１は、車両側からＩ／Ｏ部１１４を介して入力される様々な情報を処理して、表示対象の情報、すなわち現在の車速、ブースト値、燃料残量、積算走行距離、区間走行距離などの最新の情報を取得する。
【００７１】
ステップＳ２５では、マイクロコンピュータ１１１は、Ｓ２４で取得した最新の情報の値を各計器の表示内容に反映するように表示内容を更新し、各計器の指針の表示位置や表示する数値を変更する。
【００７２】
＜表示制御装置を搭載したメータユニット１００の利点＞
図１に示した制御を実施する表示制御装置をメータユニット１００に搭載することにより、図３に示すように外装部品２００の各開口部２００ａ、２００ｂ、２００ｃの箇所だけに計器が露出するようなデザインを採用する場合であっても、簡単な調整操作だけで、速度計表示部１０２、ブースト計表示部１０３、燃料計表示部１０４等の各計器を実際の開口部の位置及び形状と正確に一致させることが可能になる。特に、「調整モード」においては各開口部２００ａ、２００ｂ、２００ｃや各計器の外形と類似した枠体パターン１１〜１３を表示画面１０１上に表示するので、調整の作業が極めて容易になる。また、外装部品２００に位置ずれや歪みが生じた場合であっても、外装部品２００を交換する必要がないので、製造工程の負担が減少し、更に歩留まりの向上によりコストの低減が可能になる。また、各計器の左右方向と上下方向の表示サイズを個別のパラメータにより調整できるので、開口形状に歪みが生じた場合であっても、実際の外装部品２００の形状に合わせて計器の表示を適切に調整することができる。
【００７３】
なお、調整モードで入力操作を行うために使用する操作部１３０については、必要に応じて変更することができる。例えば、同じ車両上に搭載されたメータユニット１００以外の機器に備わった適当な操作部の入力操作を、車両上の通信ネットワークを経由してマイクロコンピュータ１１１に入力しても良い。
【００７４】
ここで、上述した本発明に係る表示制御装置の実施形態の特徴をそれぞれ以下［１］〜［４］に簡潔に纏めて列記する。
［１］  計器（速度計表示部１０２、ブースト計表示部１０３、燃料計表示部１０４）を表示可能なディスプレイ（液晶表示器１２１）と、
前記ディスプレイに表示された前記計器を視認可能とするための開口部（２００ａ，２００ｂ，２００ｃ）を有する、前記ディスプレイが取り付けられる外装部品（２００）と、
前記ディスプレイの表示を制御する制御部（マイクロコンピュータ１１１）と、
前記計器に関するパラメータを保持可能なパラメータ記憶部（ＤＢ３）と、
入力操作を受け付ける入力部（操作部１３０）と、
を備え、
前記制御部は、調整モードにおいては、前記計器の形状を模した枠体（枠体パターン１１、１２、１３）を前記ディスプレイに表示するとともに、前記入力部によって受け付けた入力操作に基づいて前記枠体を表示する表示位置又は／及び形状を変更し、決定された前記枠体の表示位置又は／及び形状を前記計器の表示位置又は／及び形状に関するパラメータ（基準位置座標の調整値Ｐ１１、Ｐ１２、Ｐ１３）として前記パラメータ記憶部に記憶し、
前記制御部は、前記調整モード以外の通常表示モードにおいては、前記パラメータ記憶部に保持されている前記パラメータを、前記ディスプレイに表示する前記計器の表示位置又は／及び形状として反映する、
ことを特徴とする表示制御装置。
［２］  前記制御部は、前記調整モードにおいては、複数の計器それぞれに対応する前記枠体を前記ディスプレイ上の互いに異なる位置に表示するとともに、それぞれ独立に前記枠体の表示位置又は／及び形状を変更し、決定された前記枠体の表示位置又は／及び形状を、該枠体に対応する前記計器の表示位置又は／及び形状に関する前記パラメータとして前記パラメータ記憶部に記憶し、
前記制御部は、前記通常表示モードにおいて、複数の計器を前記ディスプレイに表示する、
ことを特徴とする［１］に記載の表示制御装置。
［３］  前記枠体は、その形状が前記開口部の形状に相似するとともに該開口部よりも僅かに小さく、且つ、その内部に交差する２つの線分が描かれている、
ことを特徴とする［１］または［２］に記載の表示制御装置。
【符号の説明】
【００７５】
１１，１２，１３  枠体パターン
１００  メータユニット
１０１  表示画面
１０２  速度計表示部
１０３  ブースト計表示部
１０４  燃料計表示部
１０５  距離計表示部
１１１  マイクロコンピュータ
１１２  ＣＰＵ電源
１１３，１１４  Ｉ／Ｏ部
１１５  一時記憶用メモリ
１１６  不揮発性メモリ
１１８  グラフィックコントローラ
１１８ａ  フレームメモリ
１１９  ＬＣＤ電源
１２１  液晶表示器
１２２  Ｘドライバ
１２３  Ｙドライバ
１３０  操作部
２００  外装部品
２００ａ，２００ｂ，２００ｃ  開口部
ＤＢ１  形状記憶部
ＤＢ２  計器情報記憶部
ＤＢ３  パラメータ記憶部
【図１】
2015066984.tif 000003
【図２】
2015066984.tif 000004
【図３】
2015066984.tif 000005
【図４】
2015066984.tif 000006
【図５】
2015066984.tif 000007